(57)【特許請求の範囲】
【請求項１】
住宅情報盤との一体化が可能な拡張操作装置であって、
住宅情報盤の上又は下側に連結するための基台部と、
前記基台部によって連結された住宅情報盤に電気的に接続する接続端子と、
前記接続端子を通じて住宅情報盤に操作信号を伝送する操作キーとを備え、前記基台部は前記住宅情報基盤を受け入れる凹所を形成していることを特徴とする拡張操作装置。
【請求項２】
請求項１に記載の拡張操作装置において、
前記接続端子を通じて当該拡張操作装置の存在を住宅情報盤に通知するための識別回路を更に備えたことを特徴とする拡張操作装置。
【請求項３】
請求項１又は２に記載の拡張操作装置において、
前記操作キーは非常釦であることを特徴とする拡張操作装置。
【請求項４】
請求項１に記載の拡張操作装置において、
前記基台部の上方または下方に本体部が配置され、前記本体部が前記操作キーを有することを特徴とする拡張操作装置。
【請求項５】
請求項４に記載の拡張操作装置において、
前記本体部及び前記基台部が前記住宅情報基盤と同幅であることを特徴とする拡張操作装置。
【請求項６】
請求項１乃至５のいずれか一項に記載の拡張操作装置との一体化が可能な住宅情報盤であって、
前記拡張操作装置の有無を判断し前記操作信号を検出して対応した処理を行う制御プログラムが予め組み込まれていることを特徴する住宅情報盤。
【請求項７】
請求項６に記載の住宅情報盤と、前記住宅情報盤と通信する共同玄関子器とを備えるインターホンシステム。
【発明の詳細な説明】
【技術分野】
【０００１】
本発明は、住宅情報盤と一体化することによって住宅情報盤に非常釦等の操作キーを後付けできる拡張操作装置に関する。
【背景技術】
【０００２】
従来、集合用インターホン装置を構成する住宅情報盤は、非常時に操作することで管理室親機やドアホン子器に通報するための非常釦が設けられていた（特許文献１等）。
【先行技術文献】
【特許文献】
【０００３】
【特許文献１】特開２００９−７７２３５号公報
【発明の概要】
【発明が解決しようとする課題】
【０００４】
ところで賃貸マンション向けの住宅情報盤の場合、例えば非常釦等を省く等して小型製品としたものがある。このような住宅情報盤に、非常釦を設けた拡張操作装置を連結できれば、要望が異なる複数のマンションに同一機種の住宅情報盤で対応することが可能になる。しかしながら既存マンション等で住宅情報盤が壁面コーナー部に取り付けられている場合、拡張操作装置をスマートに後付けするのが難しい場合があった。
【０００５】
本発明はこの問題に着目してなされたものであり、住宅情報盤の設置場所が壁面コーナー部であってもスマートに後付けできる拡張操作装置を提供することを目的としている。
【課題を解決するための手段】
【０００６】
本発明による拡張操作装置は、住宅情報盤との一体化が可能であって、住宅情報盤の上又は下側に連結するための基台部と、前記基台部によって連結された住宅情報盤に電気的に接続する接続端子と、前記接続端子を通じて住宅情報盤に操作信号を伝送する操作キーとを備え、前記基台部は前記住宅情報基盤を受け入れる凹所を形成していることを特徴とする。
【０００７】
また本発明による住宅情報盤は、前記拡張操作装置との一体化が可能であって、前記拡張操作装置の有無を判断し前記操作信号を検出して対応した処理を行う制御プログラムが予め組み込まれていることを特徴とする。
そして本発明によるインターホンシステムは、前記住宅情報盤と、前記住宅情報盤と通信する共同玄関子器とを備える。
【発明の効果】
【０００８】
本発明によれば、拡張操作装置が住宅情報盤の上又は下側に連結する構成になっているので、住宅情報盤の設置場所が壁面コーナー部であっても住宅情報盤に連結した拡張操作装置がコーナー部からはみ出す等の不具合が生じず、拡張操作装置をスマートに後付けできる。
【図面の簡単な説明】
【０００９】
【図１】実施形態の一例とされる拡張操作装置と住宅情報盤とを一体化させる前の全体斜視図である。
【図２】実施形態の一例とされる拡張操作装置と住宅情報盤とを一体化させたあとの正面図である。
【図３】住宅情報盤の背面図である。
【図４】（ａ）は拡張操作装置及び住宅情報盤の電気的構成の一例を示す簡単な回路ブロック図、（ｂ）は拡張操作装置の具体的な回路構成の一例を示す回路図である。
【図５】住宅情報盤の基本動作を説明するフローチャートである。
【発明を実施するための形態】
【００１０】
本発明に係る拡張操作装置は、住宅情報盤に特定の操作キーを外付けするためのものである。ただし拡張操作装置に設けられる操作キーの種別、機能は特に制限されない。例えば賃貸マンション向けの住宅情報盤の場合、例えば非常釦等を省く等して小型製品としたものがある。このような住宅情報盤に、非常釦を設けた拡張操作装置を連結できれば、要望が異なる複数のマンションに同一機種の住宅情報盤で対応することが可能になる。
【００１１】
図１は実施形態の一例とされる拡張操作装置と住宅情報盤とを一体化させる前の全体斜視図、図２はそれらを一体化させたあとの正面図である。また図３は住宅情報盤を裏側から見たときの背面図である。
【００１２】
拡張操作装置１は、基本要素として、住宅情報盤２の上又は下側に連結するための連結部と、連結された住宅情報盤２に電気的に接続する接続端子（コネクタ１０ｃ）と、その接続端子を通じて住宅情報盤２に操作信号を伝送する操作キー１０ａとを備えている。拡張操作装置１が住宅情報盤２の上又は下側に連結する構成であれば、住宅情報盤２の設置場所が壁面コーナー部であっても住宅情報盤２に連結した拡張操作装置１がコーナー部からはみ出す等の不具合が生じない。
【００１３】
連結部は、拡張操作装置１を住宅情報盤２の上又は下側に連結できればよく、連結のための仕組みに特段の制限はない。連結のための作業は簡単であり特別な工具等を要さないように構成することが望ましい。本実施形態ではそのような連結部の一例として、拡張操作装置１の本体部１０の下側に、住宅情報盤２を係合方向（下方向）にスライドさせて固定するための係合フック１１ａが設けられた基台部１１が延設されている。
【００１４】
拡張操作装置１の本体部１０及び基台部１１は住宅情報盤２と同幅である。基台部１１の下側には延長部１２が設けられている。延長部１２は必須ではなく美観及び補強のための要素であって、その内側は空洞になっている。
【００１５】
本体部１０は前面右側に複数の操作キー１０ａが設けられている。この実施形態では、そのような操作キー１０ａの一例として非常釦及び警報音停止釦を採用している。なお非常釦は夜間でも操作可能なようにその内側に表示灯１０ｂを内蔵させた自照式のものとしている。そして操作キー１０ａの近傍から下方に向けて住宅情報盤２に電気的に接続するため接続端子、すなわちコネクタ１０ｃが導出されている。
【００１６】
基台部１１は本体部１０と延長部１２との間に住宅情報盤２を受け入れる凹所を形成している。基台部１１の左右両側は住宅情報盤２の底面を支持する支持枠１１ｂになっており、支持枠１１ｂの内側から前方に向けて複数の係合フック１１ａが突出形成されている。係合フック１１ａはいずれも上方に屈曲する爪部１１ｃを有している。基台部１１の下辺には複数のロック爪１１ｄが設けられている。ロック爪１１ｄは住宅情報盤２の裏面に形成されたロック受けに対応している。基台部１１の底面にはインターホン幹線、給電線等を引き入れるために長方形状の開口部１１ｅが形成されており、その周囲に複数のネジ孔１１ｆが用意されている。
【００１７】
化粧パネル１３は、本体部１０に被せて固定爪１０ｄによって固定される構造であり、前面右側に、操作キー１０ａを外部に露出させるための釦孔１３ａが形成されている。化粧パネル１３は、その下面が基台部１１に固定されている住宅情報盤２の外し方向（上方向）のスライドを禁止するように住宅情報盤２の上面に当接するようになっている。
【００１８】
住宅情報盤２は、前面パネルの中央部に液晶パネルからなる表示部２１ａが配置され、表示部２１ａの下辺側にスピーカー用音孔２１ｂと操作部２１ｃを構成するメニュー釦とが設けられ、右辺側にマイク孔２１ｄが設けられている。
【００１９】
住宅情報盤２の裏面側は、基台部１１の支持枠１１ｂの内側に嵌りこむように底面よりも一段高くなった突出面２１ｆが形成され、その突出面２１ｆの左右両側に係合フック１１ａを案内する案内溝２１ｇが形成されている。案内溝２１ｇの底部には係合フック１１ａに対応する複数の受け穴２１ｈが形成されている。
そして案内溝２１ｇに挟まれた中間部分に、インターホン幹線、給電線、防犯センサーの配線等のリード線を接続するための端子台２１ｉと、拡張操作装置１のコネクタ１０ｃを接続するための受けコネクタ２１ｊとが設けられている。ディップスイッチ２１ｋは住室番号等を登録するためのものである。またロック受け２１ｍは、基台部１１に設けられたロック爪に対応する受け部である。
【００２０】
拡張操作装置１と住宅情報盤２との一体化は次に説明するように簡単な作業で実施できる。事前準備として住宅情報盤２にフロア番号、住室番号等は登録されているものとする。作業手順としては、まず拡張操作装置１のみを壁面にネジ止めして、底面の開口部１１ｅからインターホン幹線、給電線等のリード線を内側に引き入れる。次いでそれらのリード線を、住宅情報盤２の裏面の端子台２１ｉに接続し、更に拡張操作装置１のコネクタ１０ｃを住宅情報盤２の裏面の受けコネクタ２１ｊに接続する。
【００２１】
そして前記結線作業がなされたあとの住宅情報盤２を基台部１１に押し当て、係合フック１１ａが案内溝２１ｇに案内された状態として住宅情報盤２を上下にスライドさせる。するとある位置で係合フック１１ａが受け穴２１ｈに入って住宅情報盤２の裏面が支持枠１１ｂに接触した状態になる。その状態のままで住宅情報盤２を下方向にスライドさせると、係合フック１１ａの爪部１１ｃが受け穴２１ｈの上辺に掛かる。住宅情報盤２を下方向に更にスライドさせるとロック爪１１ｄがロック受け２１ｍに掛かり、住宅情報盤２は基台部１１に固定された状態になる。ここで化粧パネル１３を本体部１０に被せて固定すれば、住宅情報盤２の外れが防止され、拡張操作装置１と住宅情報盤２との一体化が完了する。化粧パネル１３、住宅情報盤２、延長部１２は前面及び側面が連続面となるように形成されており、それらが一体化されたときの美観に優れる。
【００２２】
図４（ａ）は拡張操作装置及び住宅情報盤の電気的構成の一例を示す簡単な回路ブロック図、（ｂ）は拡張操作装置の具体的な回路構成の一例を示す回路図である。
【００２３】
拡張操作装置１は、操作キー１０ａと、操作キー１０ａの照明等を行う表示灯１０ｂと、拡張操作装置１の存在を住宅情報盤２に通知するための識別回路１０ｅと、住宅情報盤２に電気的に接続するためのコネクタ１０ｃとを備えている。具体的には、操作キー１０ａは例えばスイッチ等によって、表示灯１０ｂは例えば発光ダイオード等によって、識別回路１０ｅは例えば抵抗器等によって構成できる（図４（ｂ）参照）。これらの電子部品に繋がる配線はいずれもコネクタ１０ｃに接続すればよい。
【００２４】
住宅情報盤２は、ドアホン子器（図示なし）を制御するドアホン回路２１ｎと、インターホン幹線を通じて通話信号等を伝送する幹線伝送回路２１ｐと、スピーカー２１ｑ及びマイク２１ｒを作動させる音声入出力回路２１ｓとを備えている。また住宅情報盤２は、メニューキー等からなる操作部２１ｔと、液晶パネル等からなる表示部２１ｕとを備えている。また住宅情報盤２は、防犯センサー（図示なし）等を監視する汎用入力回路２１ｖと、入出力端子を構成する端子台２１ｉと、拡張操作装置１のコネクタ１０ｃを接続するための受けコネクタ２１ｊと、マイコン基板等からなる制御部２１ｗとを更に備えている。記憶部２１ｘは、制御部２１ｗが実行する制御プログラムを格納した不揮発性メモリ、フロア番号、住室番号等を保持するディップスイッチ２１ｋ等からなる。音声合成回路２１ｙは、拡張操作装置１の操作キー１０ａが押されたときに鳴動させるべき警報音、防犯センサーが作動したときの警報音、各種操作ガイドの音声等を合成する要素である。
【００２５】
最後に住宅情報盤の基本動作を説明する。インターホン幹線を通じた共同玄関子器、あるいはドアホン子器との間での呼出通話に関しては従来と同様であるのでその説明を省略し、拡張操作装置に関してのみ以下に説明する。住宅情報盤には、拡張操作装置に関する制御プログラムとして、拡張操作装置の有無を判断し操作キー（非常釦）の操作信号を検出して警報を行う制御プログラムが予め組み込まれている。
図５はその制御プログラムの概要を示すフローチャートである。
ステップ１００は、拡張操作装置の有無を判断する処理である。この処理は、前記識別回路、すなわち抵抗器の有無を通電によって検出すればよい。ここで拡張操作装置の有りが判断されたときはステップ１０１以下を実行するが、無しが判断されたときは、ステップ１０１以下は実行せずに処理が終了される。
ステップ１０１は拡張操作装置の表示灯を点灯させる処理である。これによって室内が消灯されている場合でも操作キーを操作することが可能になる。
ステップ１０２は操作キーの操作を監視する処理である。操作キーが操作されるまでこの処理を繰り返し実行する。
ステップ１０３以下は操作キーが操作されたときの警報処理である。
ステップ１０３は拡張操作装置の表示灯を点滅させる処理、ステップ１０４は住宅情報盤のスピーカーから警報音を鳴動させる処理である。ステップ１０５は所定時間、例えば１分間の計時を開始する処理である。
ステップ１０６、１０７は解除操作がその所定時間の内になされたか否かを判断する処理である。ステップ１０８は解除操作がなされずに所定時間が経過した場合に、ドアホン子器、あるいは管理室親機に通報する処理である。この通報を受けたドアホン子器、管理室親機は警報音又は警報メッセージを鳴動させる。
ステップ１０９は前記所定時間内に解除操作がなされた場合に、警報音を停止させ、表示灯を点灯に戻す復旧処理である。
このような制御プログラムを住宅情報盤に予め組み込んでおけば、拡張操作装置を住宅情報盤に一体化させるだけで、操作キーに対応した処理を実行できるようになる。
【符号の説明】
【００２６】
１            拡張操作装置
１０ｃ        接続端子
１０ａ        操作キー
１０ｅ        識別回路
１１          基台部（連結部）
２            住宅情報盤
【図１】
0006601728.tif 000002
【図２】
0006601728.tif 000003
【図３】
0006601728.tif 000004
【図４】
0006601728.tif 000005
【図５】
0006601728.tif 000006